(57)【特許請求の範囲】
【請求項１】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位は裁置部と固定手段のいずれかに設けた軸受けと、裁置部と固定手段のいずれかに設けた回転軸によって構成され、前記回転軸を前記軸受けの側面から挿嵌することで、前記固定手段が嵌合部位を支点に回動して、前記裁置部に載せられたまな板シートを前記固定手段の上端で押さえつけられるようにしたことを特徴とするまな板シート裁置用台板。
【請求項２】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位が裁置部の端部に凹部と突起部のいずれか設け、固定手段の前後方向の両端に突起部と凹部のいずれか設けてなり、前記裁置部の端部と固定手段の前後方向の両端のいずれかが他を挟み込むことで、前記固定手段が嵌合部位を支点に回動し、前記裁置部に載せられたまな板シートを前記固定手段の上端で押さえつけられるようにしたことを特徴とするまな板シート裁置用台板。
【請求項３】
まな板シートを載せるための裁置部と、まな板シートを固定するための固定手段からなるまな板シート取り付け用台板であって、前記裁置部の端部が曲折可能に前記固定手段と連結し、該固定手段が前記曲折部を支点に揺動することで、前記裁置部に載せられたまな板シートを前記固定手段の一端で押さえつけられるようにしたことを特徴とするまな板シート裁置用台板。
【請求項４】
まな板シートを載せるための裁置部と、まな板シートを固定するための固定手段からなるまな板シート取り付け用台板であって、前記固定手段は、枠状の押さえ部と、裁置部の側面外部に嵌合しその弾性により前記裁置部の側面を締め付けて固定できる弾性を有する合成樹脂製の外枠部によって構成され、前記裁置部に載せられたまな板シートを前記枠状の押さえ部が裁置部に向かって押さえつけ、前記外枠部が前記裁置部の側面を締め付けて固定できるようにしたことを特徴とするまな板シート裁置用台板。
【請求項５】
まな板シートを載せるための裁置部と、まな板シートを固定するための固定手段からなるまな板シート取り付け用台板であって、前記固定手段は、枠状の押さえ部と、該押さえ部の少なくとも両側端から突起して裁置部に掛着可能とする複数の掛着部よりなり、前記裁置部に載せられたまな板シートを前記枠状の押さえ部が裁置部に向かって押さえつけ、前記掛着部が裁置部もしくは前記裁置部に設けた掛着部に掛着することで前記裁置部に載せられたまな板シートを裁置部に向かって押さえつけられるようにしたことを特徴とするまな板シート裁置用台板。
【請求項６】
まな板シートを載せるための裁置部と、まな板シートを固定するための固定手段からなるまな板シート取り付け用台板であって、前記固定手段は、枠状の押さえ部と、該枠状の押さえ部の側端と連結し裁置部の側面外部に嵌合しその弾性により前記裁置部の側面を締め付けて固定できる弾性を有する合成樹脂製の外枠部と、連結部位から離れた位置に設けられて前記枠状の押さえ部の端部から突起し裁置部に掛着可能とする掛着部によって構成され、前記裁置部に載せられたまな板シートを前記枠状の押さえ部が裁置部に向かって押さえつけ、前記掛着部が前記外枠部に掛着することで前記裁置部に載せられたまな板シートを裁置部に向かって押さえつけられるようにしたことを特徴とするまな板シート裁置用台板。
【請求項７】
まな板シートを載せるための裁置部と、まな板シートを固定するための固定手段からなるまな板シート取り付け用台板であって、前記固定手段は、前記裁置部の側端と連結して一体成形された枠状の押さえ部と、連結部位から離れた位置に設けた前記押さえ部の端部から突起し裁置部に掛着可能とする掛着部によって構成され、前記裁置部に載せられたまな板シートを前記枠状の押さえ部が裁置部に向かって押さえつけ、前記掛着部が前記裁置部もしくは前記裁置部に設けた掛着部に掛着することで前記裁置部に載せられたまな板シートを裁置部に向かって押さえつけられるようにしたことを特徴とするまな板シート裁置用台板。
【請求項８】
まな板シートを載せるための裁置部と、まな板シートを固定するための固定手段からなるまな板シート取り付け用台板であって、前記固定手段が弾性を有する合成樹脂製の蓋状部材であり、該蓋状部材が前記裁置部と裁置部に載せられた前記まな板シートとを合わせたものの側部に嵌合し、蓋状部材の弾性により前記裁置部と裁置部に載せられた前記まな板シートとを締め付けて固定できることを特徴とするまな板シート裁置用台板。
【請求項９】
まな板シートを載せるための裁置部と、まな板シートを固定するための固定手段からなるまな板シート取り付け用台板であって、前記固定手段が、枠状であってまな板シートの周縁を押さえる枠状の押さえ部と、前記裁置部の長手方向にほぼ並行する前記押さえ部の側面から下方に向かって突起し裁置部の側面に沿って下垂する掛着部によって構成され、前記裁置部の長手方向の長さに対応する前記枠状の押さえ部の長さが、前記裁置部の長さのよりも短いことを特徴とするまな板シート裁置用台板。
【請求項１０】
請求項１ないし請求項９に記載したまな板シート取り付け用台板にまな板シートを配してなるまな板。
【発明の詳細な説明】
【技術分野】
【０００１】
まな板シートを裁置し固定することで、まな板を構成するための台板、及び、前記台板にまな板シートを配してなるまな板に関するものである。
【背景技術】
【０００２】
まな板の調理面は痛みやすく、かんな掛け等による再生がが難しいことから様々な形状の使い捨て型まな板が出願されている。他に、使い捨て型まな板の長所としてしつこい油汚れなどがあっても洗浄することなく捨てることが出来る点があげられる。しかし、使い捨てにするためには省資源という視点から出来る限り薄くする必要がある。まな板は包丁等の刃を柔らかくしかも確実に受け止める必要がる。薄く柔軟な素材を使用すると形状が不安定で切断されやすいものとなる。
【特許文献１】実登録３０４２９０６  まな板をシート状体の単体とした場合、まな板としての機能を果たし安定して形状を保つには一定の厚さを有することが求められる。薄いシート状体は形状が不安定であるだけでなく、使っている人に精神的な不安感を持たせる。そこで実登録３０４２９０６のごとく止着材を施した調理用シートが考案されている。止着材の塗布、剥離材の張り付けと製作行程が増え、コストの上昇につながる。
【特許文献２】実登録３０７７２５５  登録実用新案第３０７７２５５号に示された考案は、圧着枠をまな板状にビスと蝶番を用いて取り付け、「最後は俎台に設けられてある締めつけ金具の締付環を圧着枠の突起に締め付け」ることで「圧着枠は敷紙を俎台に押しつけ、切り刻みはこの敷紙を敷いた俎台の上で行うことができることを特徴とする俎の構造」に関するものであり、圧着枠をビスと蝶番を使いまな板に取り付けシート状体を挟み込む方式では構造が複雑で、汚れた枠の洗浄に手間取るという問題を擁している。
【特許文献３】実登録３０４０５５８  コの字形の鋼板の一端に波形の魚挟み部を設置した魚挟み器により、魚をまな板に固定する魚挟み器の例が記載されている。コの字形の魚挟み器が鋼板で製造されることから分かるように、コの字形の魚挟み器が強い挟み付け効果を得るには強い弾性や強度を要し、まな板シート取り付け台板を傷つけずにまな板シートを軟らかく且つ確実に固定するには不向きといえる。
【特許文献４】特願２００２−０３１７１４  上記考案の問題点を解決し、使い勝手の良いまな板シート、まな板シート取り付け用台板、及び、まな板を提示したものであるが、記載が不十分で前記考案との差異が不明確であることから、前記考案との差異を明確にし、より効果的なまな板シート取り付け台板の提示が求められる。また、特願２００２−０３１７１４の図１と図２に示したまな板シート裁置用台板は裁置部より回転軸が突起しており、洗いにくいという欠点を有しており、洗い易く使い勝手の良いまな板シート取り付け台板が求められる。
【発明の開示】
【発明が解決しようとする課題】
【０００３】
特願２００２−０３１７１４の欠点を改良し、単純な構成で安価に製造でき、使い勝手の良いまな板シート取り付け台板を供すること。
【課題を解決するための手段】
【０００４】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位は裁置部と固定手段のいずれかに設けた軸受けと、裁置部と固定手段のいずれかに設けた回転軸によって構成され、前記回転軸を前記軸受けの側面から挿嵌することで、前記固定手段が嵌合部位を支点に回動して、前記裁置部に載せられたまな板シートを前記固定手段の上端で押さえつけられるようにしたことを特徴とするまな板シート裁置用台板を供する。
【０００５】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位が裁置部の端部に凹部と突起部のいずれか設け、固定手段の前後方向の両端に突起部と凹部のいずれか設けてなり、前記裁置部の端部と固定手段の前後方向の両端のいずれかが他を挟み込むことで、前記固定手段が嵌合部位を支点に回動し、前記裁置部に載せられたまな板シートを前記固定手段の上端で押さえつけられるようにしたことを特徴とするまな板シート裁置用台板を供する。
【０００６】
まな板シートを載せるための裁置部と、まな板シートを固定するための固定手段からなるまな板シート取り付け用台板であって、前記裁置部の端部が曲折可能に前記固定手段と連結し、該固定手段が前記曲折部を支点に揺動することで、前記裁置部に載せられたまな板シートを前記固定手段の一端で押さえつけられるようにしたことを特徴とするまな板シート裁置用台板を供する。
【０００７】
まな板シートを載せるための裁置部と、まな板シートを固定するための固定手段からなるまな板シート取り付け用台板であって、前記固定手段は、枠状の押さえ部と、裁置部の側面外部に嵌合しその弾性により前記裁置部の側面を締め付けて固定できる弾性を有する合成樹脂製の外枠部によって構成され、前記裁置部に載せられたまな板シートを前記枠状の押さえ部が裁置部に向かって押さえつけ、前記外枠部が前記裁置部の側面を締め付けて固定できるようにしたことを特徴とするまな板シート裁置用台板を供する。
【０００８】
まな板シートを載せるための裁置部と、まな板シートを固定するための固定手段からなるまな板シート取り付け用台板であって、前記固定手段は、枠状の押さえ部と、該押さえ部の少なくとも両側端から突起して裁置部に掛着可能とする複数の掛着部よりなり、前記裁置部に載せられたまな板シートを前記枠状の押さえ部が裁置部に向かって押さえつけ、前記掛着部が裁置部もしくは前記裁置部に設けた掛着部に掛着することで前記裁置部に載せられたまな板シートを裁置部に向かって押さえつけられるようにしたことを特徴とするまな板シート裁置用台板を供する。
【０００９】
まな板シートを載せるための裁置部と、まな板シートを固定するための固定手段からなるまな板シート取り付け用台板であって、前記固定手段は、枠状の押さえ部と、該枠状の押さえ部の側端と連結し裁置部の側面外部に嵌合しその弾性により前記裁置部の側面を締め付けて固定できる弾性を有する合成樹脂製の外枠部と、連結部位から離れた位置に設けられて前記枠状の押さえ部の端部から突起し裁置部に掛着可能とする掛着部によって構成され、前記裁置部に載せられたまな板シートを前記枠状の押さえ部が裁置部に向かって押さえつけ、前記掛着部が前記外枠部に掛着することで前記裁置部に載せられたまな板シートを裁置部に向かって押さえつけられるようにしたことを特徴とするまな板シート裁置用台板を供する。
【００１０】
まな板シートを載せるための裁置部と、まな板シートを固定するための固定手段からなるまな板シート取り付け用台板であって、前記固定手段は、前記裁置部の側端と連結して一体成形された枠状の押さえ部と、連結部位から離れた位置に設けた前記押さえ部の端部から突起し裁置部に掛着可能とする掛着部によって構成され、前記裁置部に載せられたまな板シートを前記枠状の押さえ部が裁置部に向かって押さえつけ、前記掛着部が前記裁置部もしくは前記裁置部に設けた掛着部に掛着することで前記裁置部に載せられたまな板シートを裁置部に向かって押さえつけられるようにしたことを特徴とするまな板シート裁置用台板を供する。
【００１１】
まな板シートを載せるための裁置部と、まな板シートを固定するための固定手段からなるまな板シート取り付け用台板であって、前記固定手段が弾性を有する合成樹脂製の蓋状部材であり、該蓋状部材が前記裁置部と裁置部に載せられた前記まな板シートとを合わせたものの側部に嵌合し、蓋状部材の弾性により前記裁置部と裁置部に載せられた前記まな板シートとを締め付けて固定できることを特徴とするまな板シート裁置用台板を供する。
【００１２】
まな板シートを載せるための裁置部と、まな板シートを固定するための固定手段からなるまな板シート取り付け用台板であって、前記固定手段が、枠状であってまな板シートの周縁を押さえる枠状の押さえ部と、前記裁置部の長手方向にほぼ並行する前記押さえ部の側面から下方に向かって突起し裁置部の側面に沿って下垂する掛着部によって構成され、前記裁置部の長手方向の長さに対応する前記枠状の押さえ部の長さが、前記裁置部の長さのよりも短いことを特徴とするまな板シート裁置用台板を供する。
【００１３】
まな板シート取り付け用台板にまな板シートを配してなるまな板を供する。
【発明の効果】
【００１４】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位は裁置部と固定手段のいずれかに設けた軸受けと、裁置部と固定手段のいずれかに設けた回転軸によって構成され、前記回転軸を前記軸受けの側面から挿嵌することで、前記固定手段が嵌合部位を支点に回動して、前記裁置部に載せられたまな板シートを前記固定手段の上端で押さえつけられるようにしたことを特徴とするまな板シート裁置用台板であるため次の効果を奏する。
【００１５】
回転軸を軸受けの側面から挿嵌することため、固定手段の取り外しが容易であると共に、軸受け内部に至るまで洗浄が容易であるまな板シート裁置用台板が実現できる。
【００１６】
まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位が裁置部の端部に凹部と突起部のいずれか設け、固定手段の前後方向の両端に突起部と凹部のいずれか設けてなり、前記裁置部の端部と固定手段の前後方向の両端のいずれかが他を挟み込むことで、前記固定手段が嵌合部位を支点に回動し、前記裁置部に載せられたまな板シートを前記固定手段の上端で押さえつけられるようにしたことを特徴とするまな板シート裁置用台板であるため次の効果を奏する。
【００１７】
裁置部の端部か固定手段の前後方向の両端のいずれかが他を挟み込んでいるため、固定手段の取り外しが容易であると共に、嵌合部の洗浄が容易であるまな板シート裁置用台板が実現できる。
【００１８】
まな板シートを載せるための裁置部と、まな板シートを固定するための固定手段からなるまな板シート取り付け用台板であって、前記裁置部の端部が曲折可能に前記固定手段と連結し、該固定手段が前記曲折部を支点に揺動することで、前記裁置部に載せられたまな板シートを前記固定手段の一端で押さえつけられるようにしたことを特徴とするまな板シート裁置用台板であるため次の効果を奏する。
【００１９】
構成が単純であることから洗浄が容易であるまな板シート裁置用台板が実現できる。また、操作性の良いまな板シート裁置用台板が一体成形で製造可能である。
【００２０】
まな板シートを載せるための裁置部と、まな板シートを固定するための固定手段からなるまな板シート取り付け用台板であって、前記固定手段は、枠状の押さえ部と、裁置部の側面外部に嵌合しその弾性により前記裁置部の側面を締め付けて固定できる弾性を有する合成樹脂製の外枠部によって構成され、前記裁置部に載せられたまな板シートを前記枠状の押さえ部が裁置部に向かって押さえつけ、前記外枠部が前記裁置部の側面を締め付けて固定できるようにしたことを特徴とするまな板シート裁置用台板であるため次の効果を奏する。
【００２１】
固定手段の構造が単純であり、製造が極めて容易である。固定手段と裁置部が分離していることから洗浄が極めて容易であり、衛生上好ましい。
【００２２】
まな板シートを載せるための裁置部と、まな板シートを固定するための固定手段からなるまな板シート取り付け用台板であって、前記固定手段は、枠状の押さえ部と、該押さえ部の少なくとも両側端から突起して裁置部に掛着可能とする複数の掛着部よりなり、前記裁置部に載せられたまな板シートを前記枠状の押さえ部が裁置部に向かって押さえつけ、前記掛着部が裁置部もしくは前記裁置部に設けた掛着部に掛着することで前記裁置部に載せられたまな板シートを裁置部に向かって押さえつけられるようにしたことを特徴とするまな板シート裁置用台板であるため次の効果を奏する。
【００２３】
固定手段の構造が単純であり、製造が極めて容易である。固定手段と裁置部が分離していることから洗浄が極めて容易であり、衛生上好ましい。
【００２４】
まな板シートを載せるための裁置部と、まな板シートを固定するための固定手段からなるまな板シート取り付け用台板であって、前記固定手段は、枠状の押さえ部と、該枠状の押さえ部の側端と連結し裁置部の側面外部に嵌合しその弾性により前記裁置部の側面を締め付けて固定できる弾性を有する合成樹脂製の外枠部と、連結部位から離れた位置に設けられて前記枠状の押さえ部の端部から突起し裁置部に掛着可能とする掛着部によって構成され、前記裁置部に載せられたまな板シートを前記枠状の押さえ部が裁置部に向かって押さえつけ、前記掛着部が前記外枠部に掛着することで前記裁置部に載せられたまな板シートを裁置部に向かって押さえつけられるようにしたことを特徴とするまな板シート裁置用台板であるため次の効果を奏する。
【００２５】
固定手段の構造が単純であり、製造が極めて容易である。固定手段と裁置部が分離可能であることから洗浄が極めて容易であり、衛生上好ましい。
【００２６】
まな板シートを載せるための裁置部と、まな板シートを固定するための固定手段からなるまな板シート取り付け用台板であって、前記固定手段は、前記裁置部の側端と連結して一体成形された枠状の押さえ部と、連結部位から離れた位置に設けた前記押さえ部の端部から突起し裁置部に掛着可能とする掛着部によって構成され、前記裁置部に載せられたまな板シートを前記枠状の押さえ部が裁置部に向かって押さえつけ、前記掛着部が前記裁置部もしくは前記裁置部に設けた掛着部に掛着することで前記裁置部に載せられたまな板シートを裁置部に向かって押さえつけられるようにしたことを特徴とするまな板シート裁置用台板であるため次の効果を奏する。
【００２７】
固定手段の構造が単純であり、余分な突起物がないことから洗浄が極めて容易であり、衛生上好ましい。一体成形することでコストの軽減に貢献できる。
【００２８】
まな板シートを載せるための裁置部と、まな板シートを固定するための固定手段からなるまな板シート取り付け用台板であって、前記固定手段が弾性を有する合成樹脂製の蓋状部材であり、該蓋状部材が前記裁置部と裁置部に載せられた前記まな板シートとを合わせたものの側部に嵌合し、蓋状部材の弾性により前記裁置部と裁置部に載せられた前記まな板シートとを締め付けて固定できることを特徴とするまな板シート裁置用台板であるため次の効果を奏する。
【００２９】
固定手段の構造が単純であり、製造が極めて容易である。固定手段と裁置部が分離していることから洗浄が極めて容易であり、衛生上好ましい。
【００３０】
まな板シートを載せるための裁置部と、まな板シートを固定するための固定手段からなるまな板シート取り付け用台板であって、前記固定手段が、枠状であってまな板シートの周縁を押さえる枠状の押さえ部と、前記裁置部の長手方向にほぼ並行する前記押さえ部の側面から下方に向かって突起し裁置部の側面に沿って下垂する掛着部によって構成され、前記裁置部の長手方向の長さに対応する前記枠状の押さえ部の長さが、前記裁置部の長さのよりも短いことを特徴とするまな板シート裁置用台板であるため次の効果を奏する。
【００３１】
まな板全体の中の切断に使用する部分のみにまな板シートを設置できることから、まな板に於ける切断作業によって傷ついた部分のみを交換可能にするという本願発明の趣旨を最大限に生かすことが出来る。裁置台部の任意の位置にまな板シートを設置でることから使い勝手が良い。
【００３２】
まな板シート取り付け用台板にまな板シートを配してなるまな板であるため次の効果を奏する。
【００３３】
まな板に於ける切断作業によって傷ついた部分のみを交換可能にし、経済的で衛生上好ましいまな板が実現できる。
【発明を実施するための最良の形態】
【００３４】
本願発明はまな板に於ける切断作業によって傷ついた部分のみを交換可能にすることから、経済的であると同時に痛んだら取り替えると言うことが容易であり衛生的に好ましいまな板を実現するためのまな板シート裁置用台板に関するものである。衛生的であるために構造が単純であることや分解容易な構成であることが重要であり、下記実施例により具体的に提示する。
【実施例１】
【００３５】
図１は実施例１の斜視図である。本実施例では、まな板シート１を載せるための裁置部２と、まな板シート１を固定するための固定手段３からなるまな板シート取り付け用台板であって、前記裁置部２の端部と前記固定手段３の一部が取り外し容易に嵌合し合い、該嵌合部位は裁置部２と固定手段３のいずれかに設けた軸受け４と、裁置部２と固定手段３のいずれかに設けた回転軸５によって構成され、前記回転軸５を前記軸受け４の側面から矢印Ａ６１の方向に挿嵌することで、前記固定手段３が嵌合部位を支点に矢印Ｂ６２の方向に回動して、前記裁置部２にのせられたまな板シート１を前記固定手段の上端３１で押さえつけられるようにしたものである。
【００３６】
固定手段３は押さえ部３２と脚部３３と回転軸５あるいは軸受け４（本図では回転軸５）からなる。回転軸５と軸受け４が嵌合すると嵌合部位（本図では回転軸５）に裁置部２の重量がかかり、回転軸５を下に押し下げようとする力が働き、この力は矢印Ｂ６２方向の回転力に転化される。よって、本実施例に於けるまな板シート裁置用台板は、自重により固定手段の上端３１で裁置面２１にまな板シート１を押さえつける。
【００３７】
嵌合した軸受け４と回転軸５は分離可能であることから、洗浄がしやすい。本図では軸受け４及び回転軸５が固定手段３の長さ分の連続した形状になっているため、凹凸が少なく洗浄もし易く衛生的である。固定手段３が両端等に分割されていても機能に大きな違いは生じない。軸受け４の内部や固定手段３に於ける押さえ部３２と回転軸５とが形成するすき間は指や洗浄用具が入りやすい程度に広くすることが望ましい。
【実施例２】
【００３８】
図２は実施例２の斜視図である。本実施例では、まな板シート１載せるための裁置部２、まな板シート１固定するための固定手段３からなるまな板シート取り付け用台板であって、前記裁置部２の端部と前記固定手段３の一部が取り外し容易に嵌合し合い、該嵌合部位が裁置部２の端部に凹部４１と突起部５１のいずれか設け、固定手段３の前後方向の両端に突起部５１と凹部４１のいずれか設けてなり、前記裁置部２の端部と固定手段３の前後方向の両端のいずれかが他を挟み込むことで、前記固定手段３が嵌合部位を支点に回動し、前記裁置部２にのせられたまな板シート１を前記固定手段の上端３１で裁置面２１に押さえつけられるようにしたものである。
【００３９】
本実施例と実施例１とは嵌合手段が違うだけで基本的な仕組みや機能は同じである。本実施例も実施例１と同様にまな板シート裁置用台板は、自重により固定手段の上端３１で裁置面２１にまな板シート１を押さえつける。
【実施例３】
【００４０】
図３は実施例３の斜視図である。本実施例は、前記実施例１と実施例２に於ける嵌合部位を曲折部２２に置き換えたものであり、回動という機能が揺動に代わる以外、基本的な機能に違いはない。本実施例は、まな板シート１を載せるための裁置部２と、まな板シートを固定するための固定手段３からなるまな板シート取り付け用台板であって、前記裁置部２の端部に曲折部２２を形成し、曲折可能に前記固定手段３と連結し、該固定手段３が前記曲折部２２を支点に揺動することで、前記裁置部２にのせられたまな板シート１を前記固定手段の上端３１で押さえつけられるようにしたものである。
【００４１】
本実施例は射出成形等により一体成形できコストの軽減に貢献できる。又、余分な凹凸がないために衛生的である。脚部３３と裁置部２がつくる谷部３４や裁置面２１と押さえ部３２がつくる溝部３５は固定手段３を揺動した状態で指や洗浄用具が入りやすい程度に広くすることが望ましい。脚部３４を裁置部２の側に折り曲げることで溝部３５が押し広げられ、洗浄が容易となる。本実施例も実施例１と同様にまな板シート裁置用台板は、自重により固定手段の上端３１で裁置面２１にまな板シート１を押さえつける。
【実施例４】
【００４２】
図４は実施例４の斜視図である。本実施例は、まな板シート１を載せるための裁置部２と、まな板シート１を固定するための固定手段３からなるまな板シート取り付け用台板であって、前記固定手段３は、枠状の押さえ部３２１と、裁置部２の側面外部に嵌合しその素材が持つ弾性により前記裁置部の側面を締め付けて固定できる弾性を有する合成樹脂製の外枠部３２２によって構成された枠状部材３２０である。前記枠状の押さえ部３２１が裁置部２に載せられたまな板シート１を裁置面２１に向かって押さえつけ、前記外枠部３２２が前記裁置部２の側面を締め付けて固定できるようにしたものである。固定手段３の構造が単純であり、固定手段３と裁置部２が分離していることから洗浄が極めて容易であり、衛生上好ましい。
【実施例５】
【００４３】
図５は実施例５の斜視図である。本実施例は、まな板シート１を載せるための裁置部２と、まな板シート１を固定するための固定手段３からなるまな板シート取り付け用台板であって、前記固定手段３は枠状の押さえ部３２１と、該枠状の押さえ部３２１の側面から突起し裁置部２の側面に沿って下垂するとともに先端が前記裁置部２に向かって曲折した鉤型を呈する掛着部３２３によって構成される枠状部材３２０である。
【００４４】
前記裁置部２に載せられたまな板シート１を前記枠状の押さえ部が３３１裁置部に向かって押さえつけ、前記掛着部３２３が前記裁置部２の裏面もしくは側面に設けた掛着部に掛着することで前記裁置部２に載せられたまな板シートを裁置面２１に向かって押さえつけられるようにしたものである。固定手段３の構造が単純であり、固定手段３と裁置部２が分離可能であることから洗浄が極めて容易であり、衛生上好ましい。
【実施例６】
【００４５】
図６は実施例６の斜視図であり、外枠部３２２が合成樹脂製であって、前記裁置部２の側面を材質の持つ弾性により締め付けて固定し、固定手段３を裁置部２に取り付けた例である。前記外枠部３２２と曲折部２２によって曲折可能に連結した枠状の押さえ部３２１の側面で曲折部２２と離れた位置に鉤型を呈する掛着部３２３を突出させ、裁置部２にまな板シート１を載せた状態で前記掛着部３２３を前記外枠部３２２に掛着する。前記外枠部３２２の一部を切り欠いて掛着部Ｂ３２４を形成する。固定手段３の構造が単純であり、固定手段３と裁置部２が分離可能であることから洗浄が極めて容易であり、衛生上好ましい。
【実施例７】
【００４６】
図７は実施例７の斜視図であり、枠状の押さえ部３２１の端部と前記裁置部２の端部とが曲折可能に連結して一体成形した例である。前記裁置部２の端部である曲折部２２と枠状の押さえ部３２１の端部が曲折可能に連結し、接続した部位から離れた位置において前記枠状の押さえ部３２１の側面から鉤型を呈する掛着部３２３を突出させ、裁置部２にまな板シート１を載せた上から枠状の押さえ部３２１を覆い被せ、前記掛着部３２３を裁置部２に設けた掛着部Ｂ３２４に掛着する。一体成形できることからコストの軽減に貢献できる。
【実施例８】
【００４７】
図８は実施例８の斜視図である。本実施例は、まな板シート１を載せるための裁置部２と、まな板シート１を固定するための固定手段３からなるまな板シート取り付け用台板であって、前記固定手段３が弾性を有する合成樹脂製の蓋状部材３６であり、該蓋状部材３６が前記裁置部２と裁置部２に載せられた前記まな板シートとを合わせたものの側部に嵌合し、蓋状部材３６の弾性により前記裁置部２と該裁置部２に載せられた前記まな板シート１とを締め付けて固定できるようにしたものである。
【００４８】
図９は実施例８の断面図である。蓋状部材３６と裁置部２のそれぞれに掛着手段３６１を設けることで蓋条部材３４が前記まな板シート１と裁置部２から離脱しないようにできる。前記固定手段３の構造が単純であり、固定手段３と裁置部２が分離していることから洗浄が極めて容易であり、衛生上好ましい。
【実施例９】
【００４９】
図１０は実施例９の斜視図である。本実施例は、まな板シート１を載せるための裁置部２と、まな板シート１を固定するための固定手段３からなるまな板シート取り付け用台板であって、前記固定手段３が、まな板シート１の周縁を押さえる枠状の押さえ部３２１と、前記裁置部２の長手方向に対応する前記枠状の押さえ部３２１の側面から下方に向かって突起し前記裁置部２の側面に沿って下垂する掛着部３２３によって構成された枠状部材Ｂ３７である。
【００５０】
該枠状部材Ｂ３７における掛着部を構成しない辺にまな板シートが横に滑動することを防ぐための滑動防止部３５１を設けることで、使用上の安定感が増し、安心して使用できる。滑動防止部３５１は本図のように枠状の押さえ部３２１の側面から下方に向かって突起させるほか、枠状の押さえ部３２１の下面に突起物を設けることも含むものとし、該滑動防止部３５１の働きにより、摺擦抵抗を増して枠状の押さえ部３２１の動きと連動する。枠状の押さえ部３２１と裁置部２との摩擦抵抗を高めることにより、裁置部２上におけるまな板シート１の滑動を防止できる。
【００５１】
本実施例は前記裁置部２の長手方向の長さに対応する前記枠状の押さえ部３２１の長さＬ１を前記裁置部２の長さＬ２よりも短い構成としたものであり、前記裁置部２の任意の位置にまな板シート１を設置できることから使い勝手が良く、まな板シート１の面積がまな板シート裁置面２１よりも狭いことから、まな板に於ける切断作業によって傷ついた部分のみを交換可能にするという本願発明の趣旨を最大限に生かすことが出来る。前記裁置部２の長さＬ２と枠状の押さえ部３２１の長さＬ１の関係は、経験則から押さえ部３２１の長さＬ１を前記裁置部２の長さＬ２の四分の三以内にするのが望ましい。
【００５２】
図１１は実施例９の断面図であり、図Ａは前記枠状の押さえ部３２１を弾性材で成形し、平板状の掛着部３２３が裁置部２の側面に沿って下垂した例である。枠状部材Ｂ３７の自重によってまな板シートを押さえているだけであることから、前記滑動防止部３５１がまな板シート１を押さえ、前記枠状の押さえ部３２１とまな板シートを左右方向へ移動することが容易であり、裁置部２の任意の位置にまな板シート１を移動しながら使用できる。図Ｂは裁置部２の底部がまな板シート裁置面２１よりも狭まるように構成したものである。図Ｃは前記枠状の押さえ部３２１を弾性材で成形し、前記裁置部２の側面に掛着用の溝状凹部２３を設けた例である。図Ｂでは掛着部３２３が裁置部の側面に、Ｃ図では掛着部３２３が裁置部の溝状凹部２３に掛着することができ、枠状の押さえ部３２１がまな板シート裁置面２１にまな板シート１を押しつけて固定することが可能となる。
【図面の簡単な説明】
【００５３】
【図１】実施例１の斜視図である。
【図２】実施例２の斜視図である。
【図３】実施例３の斜視図である。
【図４】実施例４の斜視図である。
【図５】実施例５の斜視図である。
【図６】実施例６の斜視図である。
【図７】実施例７の斜視図である。
【図８】実施例８の斜視図である。
【図９】実施例８の断面図である。
【図１０】実施例９の斜視図である。
【図１１】実施例９の断面図である。
【符号の説明】
【００５４】
１  まな板シート
２  裁置部
２１  裁置面
２２  曲折部
２３  溝状凹部
３  固定手段
３１  固定手段の上端
３２  押さえ部
３２０  枠状部材
３２１  枠状の押さえ部
３２２  外枠部
３２３  掛着部
３２４  掛着部Ｂ
３３  脚部
３４  谷部
３５  溝部
３５１  滑動防止部
３６  蓋状部材
３６１  掛着手段
３７  枠状部材Ｂ
４  軸受け
４１  凹部
５  回転軸
５１  突起部
６１  矢印Ａ
６２  矢印Ｂ
Ｌ１  枠状の押さえ部の長さ
Ｌ２  前記裁置部２の長さ
【要約】
【課題】  特願２００２−０３１７１４の欠点を改良し、単純な構成で安価に製造でき、使い勝手の良いまな板シート裁置用台板及びまな板を提供すること。
【解決手段】  まな板シートを載せるための裁置部と、まな板シートを固定するための固定手段からなるまな板シート取り付け用台板であって、前記裁置部の端部と前記固定手段の一部が取り外し容易に嵌合し合い、該嵌合部位は裁置部と固定手段のいずれかに設けた軸受けと、裁置部と固定手段のいずれかに設けた回転軸によって構成され、前記回転軸を前記軸受けの側面から挿嵌することや、枠状や蓋状の固定手段を提供することで、洗浄がし易く衛生的で、まな板シートを取り付けることでまな板を構成するまな板シート取り付け用台板を供する。
【選択図】        図１０
【図１】
0003557558.tif 000002
【図２】
0003557558.tif 000003
【図３】
0003557558.tif 000004
【図４】
0003557558.tif 000005
【図５】
0003557558.tif 000006
【図６】
0003557558.tif 000007
【図７】
0003557558.tif 000008
【図８】
0003557558.tif 000009
【図９】
0003557558.tif 000010
【図１０】
0003557558.tif 000011
【図１１】
0003557558.tif 000012